(57)【要約】【課題】既設トンネルの内周面に効率的にパネルを組立て及び支持させながら改修することができるともに、切削ズリ及び改修用パネルの移送を円滑に行う。【解決手段】既設トンネル１０内面を切削する部位の後方に、架台３０を進行方向に望ましくは自走式で移動可能に設ける。前記架台３０に、切削したトンネル内面に改修用パネルを組み立てるためのパネル組立部４０、並びにその後方にパネル組立て後の改修用パネルを保持するパネル支持部５０をそれぞれ配置する。架台３０には、トンネル内面の切削に伴うズリを前方から、前記パネル組立部４０及びパネル支持部５０で囲まれる領域内を通って後方に送るズリ排出搬送路３２、改修用パネルを後方から、前記パネル組立部４０及びパネル支持部５０で囲まれる領域内を通って前方に供給するパネル供給搬送路３４をそれぞれ設ける。【選択図】図２
2006057370.tif 000002
【特許請求の範囲】
【請求項１】
既設トンネル内面を切削する部位の後方に、
架台を進行方向に移動可能に設け、
前記架台に、切削したトンネル内面に改修用パネルを組み立てるためのパネル組立部、並びにその後方にパネル組立て後の改修用パネルを保持するパネル支持部をそれぞれ配置し、
前記架台には、トンネル内面の切削に伴うズリを前方から、前記パネル組立部及びパネル支持部で囲まれる領域内を通って後方に送るズリ排出搬送路、改修用パネルを後方から、前記パネル組立部及びパネル支持部で囲まれる領域内を通って前方に供給するパネル供給搬送路をそれぞれ設け、
進行方向前方において既設トンネル内面を切削し、その切削に伴うズリを前記ズリ排出搬送路を通して前方から前記パネル組立部及びパネル支持部で囲まれる領域内を通って後方に排出し、
改修用パネルをパネル供給搬送路を通して後方から前記パネル支持部及びパネル組立部で囲まれる領域内を通って前方に供給し、
供給された改修用パネルをパネル組立部において切削したトンネル内面に組立て、パネル組立て後の改修用パネルをパネル支持部において保持する、
ことを特徴とするトンネル改修施工方法。
【請求項２】
前記パネル支持部において裏込めを行い、その裏込め時の圧力を前記パネル支持部にて支持する請求項１記載のトンネル改修施工方法。
【請求項３】
既設トンネル内面を切削する部位の後方に、進行方向に自走で移動可能に設けられた架台と、
前記架台にそれぞれ設けられた、切削したトンネル内面に改修用パネルを組み立てるためのパネル組立部、並びにその後方にパネル組立て後の改修用パネルを保持するパネル支持部と、
前記架台に設けられた、トンネル内面の切削に伴うズリを前方から、前記パネル組立部及びパネル支持部で囲まれる領域内を通って後方に送るズリ排出搬送路と、
前記架台に設けられた、改修用パネルを後方から、前記パネル支持部及びパネル組立部で囲まれる領域内を通って前方に供給するパネル供給搬送路と、
ことを特徴とするトンネル改修施工装置。
【請求項４】
前記パネル支持部は前記架台に対して固定的に設けられ、前記パネル組立部は前記架台に対して前後進移動可能に設けられている請求項３記載のトンネル改修施工装置。
【請求項５】
前記パネル組立部及びパネル支持部の少なくとも一方は、アーチ部、両側壁部、及びインバート部に対するパネルの設置手段及び改修用パネルを支持する支保材を放射方向に押し当て支持する押し当て手段を有する請求項３または４記載のトンネル改修施工装置。
【発明の詳細な説明】
【技術分野】
【０００１】
本発明は、トンネルの改修施工方法及び改修施工装置に関する。
【背景技術】
【０００２】
完成から長期間を経過してトンネルについては、一般的に改修するのが経済的である。特に、下水道、工業用水路、農業用水路などの水路トンネルは、水に含まれる各種の成分により、劣化及び腐食が生じ易く、長期の使用後においてこれを改修する必要性が高い。
【０００３】
この場合における改修方法としては、次のようなものが知られ、あるいは考えられる。
（１）トンネルの覆工を取り壊してトンネルを拡幅した後に、鉄筋及び型枠を組み立ててコンクリートを打設する施工方法。しかし、配筋作業、型枠設置作業、コンクリート打設作業が必要で、これらの作業に多くの時間と労力が必要である。
【０００４】
（２）型枠の代わりにプレキャストパネルを使用する方法。プレキャストは、通常、トンネルの地山側に配置した鋼製フレームに取り付けて設置する。しかし、パネル相互間の接合部は突き合わせているだけで構造的には一体化されていない問題点がある。
【０００５】
（３）円形断面のトンネルについては、トンネル内に新しい管体を敷設するパイプ・イン・パイプ工法がある。これは効率的に施工できる利点があるものの、馬蹄形断面のトンネルの場合には、断面積の減少が大きいので、パイプ・イン・パイプ工法を適用することが困難となる場合が多い。また、その寸法も各トンネルごとに種々のものがあるため、一般的には、あらかじめトンネル寸法に合わせて工場で製作した分割構造の鋼板を現場溶接して対応する必要がある。しかし、トンネル寸法に合わせた鋼板を工場で製作して現場溶接するものでは、重量が大きいため施工性が悪い。
【０００６】
（４）トンネルの断面形状や寸法に合わせて個別に製作したＦＲＰ製品を用いると、鋼板に比べて軽量で施工しやすく、さらに内面の耐腐食性や耐磨耗性に優れている利点がある。しかし、トンネルごとに個別に製作する必要があり、他のトンネルには適用できないため、結果的にコスト高になるという問題点がある。最近は水路トンネルでは、その長手方向に沿う細長いＦＲＰ板を、水密性を有する接合部材を介して、トンネルの周方向に複数配置して、トンネルの内面を覆う方法も実施されているが、高強度や高耐久性に問題がある。
【０００７】
これらの点を考えると、既設トンネルの脆弱化した内面を切削し、そこにパネルを設置し、裏込めを行う施工形態は、もっとも経済的であり、実用的である利点がある。
【０００８】
しかるに、既設トンネルの全周面に同時的にパネルを組立て及び支持させながら改修する場合を考えると、施工例がほとんどない。（特許文献１及び特許文献２）。
【特許文献１】特開平９―４１８９１号公報
【特許文献２】特開平５―２９５９９２号公報
【発明の開示】
【発明が解決しようとする課題】
【０００９】
本発明の主たる課題は、既設トンネルの内周面に効率的にパネルを組立て及び支持させながら改修することができるとともに、切削ズリ及び改修用パネルの移送を円滑に行うようにすることで、施工能率を高めることにある。
より望ましい形態に対応する他の課題は、既設トンネルの全内周面に、すなわちアーチ部、両側壁部、及びインバート部に対して同時的にパネルを組立て及び支持させながら改修することができるようにすることにある。
【課題を解決するための手段】
【００１０】
上記課題を解決した本発明は次記のとおりである。
＜請求項１項記載の発明＞
既設トンネル内面を切削する部位の後方に、
架台を進行方向に移動可能に設け、
前記架台に、切削したトンネル内面に改修用パネルを組み立てるためのパネル組立部、並びにその後方にパネル組立て後の改修用パネルを保持するパネル支持部をそれぞれ配置し、
前記架台には、トンネル内面の切削に伴うズリを前方から、前記パネル組立部及びパネル支持部で囲まれる領域内を通って後方に送るズリ排出搬送路、改修用パネルを後方から、前記パネル組立部及びパネル支持部で囲まれる領域内を通って前方に供給するパネル供給搬送路をそれぞれ設け、
進行方向前方において既設トンネル内面を切削し、その切削に伴うズリを前記ズリ排出搬送路を通して前方から前記パネル組立部及びパネル支持部で囲まれる領域内を通って後方に排出し、
改修用パネルをパネル供給搬送路を通して後方から前記パネル支持部及びパネル組立部で囲まれる領域内を通って前方に供給し、
供給された改修用パネルをパネル組立部において切削したトンネル内面に組立て、パネル組立て後の改修用パネルをパネル支持部において保持する、
ことを特徴とするトンネル改修施工方法。
【００１１】
＜作用効果＞
架台を進行方向に移動可能に設け、架台に、切削したトンネル内面に改修用パネルを組み立てるためのパネル組立部、並びにその後方にパネル組立て後の改修用パネルを保持するパネル支持部をそれぞれ配置した。したがって、ある長さ範囲の施工が完了した段階で、架台を移動（前進）させることで、パネル組立部及びパネル支持部をも移動（前進）できる。
また、架台には、トンネル内面の切削に伴うズリを前方から、パネル組立部及びパネル支持部で囲まれる領域内を通って後方に送るズリ排出搬送路、改修用パネルを後方から、前記パネル支持部及びパネル組立部で囲まれる領域内を通って前方に供給するパネル供給搬送路をそれぞれ設けた。
その結果、進行方向前方において既設トンネル内面を切削し、その切削に伴うズリを前記ズリ排出搬送路を通して前方からパネル組立部及びパネル支持部で囲まれる領域内を通って後方に排出できる。
改修用パネルについては、パネル供給搬送路を通して後方からパネル支持部及びパネル組立部で囲まれる領域内を通って前方に供給し、供給された改修用パネルをパネル組立部において切削したトンネル内面に組立て、パネル組立て後の改修用パネルをパネル支持部において保持することができる。
さらに、ズリ排出搬送路及びパネル供給搬送路についても、ある長さ範囲の施工が完了した段階で、架台を移動（前進）させることで、パネル組立部及びパネル支持部をも移動（前進）できる。
このように、ある長さ範囲の施工が完了した段階で、各設備を移動させることができることは著しく施工能率を高めるものとなる。
【００１２】
＜請求項２項記載の発明＞
前記パネル支持部において裏込めを行い、その裏込め時の圧力を前記パネル支持部にて支持する請求項１記載のトンネル改修施工方法
【００１３】
＜作用効果＞
パネル支持部の部位において裏込めを行い、その裏込め時の圧力に伴う反力をパネル支持部にて支持することができる。
【００１４】
＜請求項３項記載の発明＞
既設トンネル内面を切削する部位の後方に、進行方向に自走で移動可能に設けられた架台と、
前記架台にそれぞれ設けられた、切削したトンネル内面に改修用パネルを組み立てるためのパネル組立部、並びにその後方にパネル組立て後の改修用パネルを保持するパネル支持部と、
前記架台に設けられた、トンネル内面の切削に伴うズリを前方から、前記パネル組立部及びパネル支持部で囲まれる領域内を通って後方に送るズリ排出搬送路と、
前記架台に設けられた、改修用パネルを後方から、前記パネル支持部及びパネル組立部で囲まれる領域内を通って前方に供給するパネル供給搬送路と、
ことを特徴とするトンネル改修施工装置。
【００１５】
＜作用効果＞
請求項１における場合と同様の作用効果を奏するものとなる。架台は、敷設したレール上を移動させるのではなく、自走式のものが望ましい。自走式であることの作用効果は請求項５との関係で後述する。
【００１６】
＜請求項４項記載の発明＞
前記パネル支持部は前記架台に対して固定的に設けられ、前記パネル組立部は前記架台に対して前後進移動可能に設けられている請求項３記載のトンネル改修施工装置。
【００１７】
＜作用効果＞
パネル組立部及びパネル支持部は架台に対し固定的に設けられていてもよい。この場合は、施工の進行に伴って、逐次、架台を移動させる形態を採る。しかし、パネル支持部は前記架台に対して固定的に設けられ、前記パネル組立部は前記架台に対して前後進移動可能に設けられているのが望ましい。ある施工長範囲内においては架台の位置を固定し、パネル支持部によりパネルの支持を所定時間継続している過程において、パネル組立部を、たとえば後述の実施の形態のように、パネル組立台車とし、架台にレールを敷設し、そのレール上をパネル組立台車が走行する形態のように、架台に対して前後進移動可能に設けると、順次パネルの組立てが終了した次の位置に移動して次のパネルの組立てを行うことができるなどの観点などから、施工能率が優れたものとなる。必要であれば、パネル支持部についても、同様に前記架台に対して前後進移動可能に設けることができる。
【００１８】
＜請求項５項記載の発明＞
前記パネル組立部及びパネル支持部の少なくとも一方は、アーチ部、両側壁部、及びインバート部に対するパネルの設置手段及び改修用パネルを支持する支保材を放射方向に押し当て支持する押し当て手段を有する請求項３または４記載のトンネル改修施工装置。
【００１９】
＜作用効果＞
ところで、先に例示の特許文献では、パネルや型枠の組立て台車を、トンネル底部に敷設したレールに沿って移動させるようにしてある。これでは、レール敷設に伴う作業が嵩むばかりでなく、インバート部分へのレールの設置に伴い、インバート部分のパネルの設置が困難となる。しかるに、請求項５記載の本発明では、架台を、敷設したレール上を移動させるのではなく、自走式のものとすることで、たとえば前後に車輪を備えたものであると、パネル組立部及びパネル支持部は、前後の車輪間ではレールが敷設されていないので、インバート部分に対してもパネルの設置が可能となる。したがって、アーチ部、両側壁部、及びインバート部に対してパネルの設置あるいはその支持が可能となることで、各部位において同時的な施工が可能となり、施工能率に優れたものとなる。
【発明の効果】
【００２０】
本発明では、架台を進行方向に移動可能に設け、架台に、切削したトンネル内面に改修用パネルを組み立てるためのパネル組立部、並びにその後方にパネル組立て後の改修用パネルを保持するパネル支持部をそれぞれ配置した。したがって、ある長さ範囲の施工が完了した段階で、架台を移動（前進）させることで、パネル組立部及びパネル支持部をも移動（前進）できる。
また、架台には、トンネル内面の切削に伴うズリを前方から、パネル組立部及びパネル支持部で囲まれる領域内を通って後方に送るズリ排出搬送路、改修用パネルを後方から、前記パネル支持部及びパネル組立部で囲まれる領域内を通って前方に供給するパネル供給搬送路をそれぞれ設けた。
その結果、進行方向前方において既設トンネル内面を切削し、その切削に伴うズリを前記ズリ排出搬送路を通して前方からパネル組立部及びパネル支持部で囲まれる領域内を通って後方に排出できる。
改修用パネルについては、パネル供給搬送路を通して後方からパネル支持部及びパネル組立部で囲まれる領域内を通って前方に供給し、供給された改修用パネルをパネル組立部において切削したトンネル内面に組立て、パネル組立て後の改修用パネルをパネル支持部において保持することができる。
さらに、ズリ排出搬送路及びパネル供給搬送路についても、ある長さ範囲の施工が完了した段階で、架台を移動（前進）させることで、パネル組立部及びパネル支持部をも移動（前進）できる。
このように、ある長さ範囲の施工が完了した段階で、各設備（架台、パネル組立部及びパネル支持部）を移動させることができることは著しく施工能率を高めるものとなる。
他の効果は請求項に対応してそれぞれ記載したとおりである。
【発明を実施するための最良の形態】
【００２１】
以下、本発明を実施するための最良の形態を示しながらさらに詳説する。
本発明の骨子は、実施の形態での符号を参照して説明すると、既設トンネル１０内面を切削する部位の後方に、架台３０を進行方向に移動可能に設け、望ましくは自走式で移動可能に設ける。
さらに、前記架台３０に、切削したトンネル内面に改修用パネルを組み立てるためのパネル組立部４０、並びにその後方にパネル組立て後の改修用パネルを保持するパネル支持部５０をそれぞれ配置する。
【００２２】
前記架台３０には、トンネル内面の切削に伴うズリを前方から、前記パネル組立部４０及びパネル支持部５０で囲まれる領域内を通って後方に送るズリ排出搬送路３２、改修用パネル６０、６１、６２を後方から、前記パネル組立部４０及びパネル支持部５０で囲まれる領域内を通って前方に供給するパネル供給搬送路３４をそれぞれ設ける。
【００２３】
かかる設備の下で、進行方向前方において既設トンネル内面を切削し、その切削に伴うズリを前記ズリ排出搬送路３２を通して前方から前記パネル組立部４０及びパネル支持部５０で囲まれる領域内を通って後方に排出し、改修用パネル６０、６１、６２をパネル供給搬送路３４を通して後方から前記パネル支持部４０及びパネル組立部３０で囲まれる領域内を通って前方に供給し、供給された改修用パネル６０、６１、６２をパネル組立部４０において切削したトンネル内面に組立て、パネル組立て後の改修用パネルをパネル支持部５０において保持するトンネル改修施工方法である。
【００２４】
まず具体例を示した上で、後に他の構成について説明することとする。
たとえば、既設トンネル１０が既設水路トンネルである場合には、その既設水路トンネル１０内をドライな状態にする。
そして、自走可能なコンクリート切削機２０、たとえばトンネル方向に回転軸芯を有し切削刃を備えた回転ヘッド２０ａを回転させながら切削する既設水路トンネルを配置し、既設水路トンネルのアーチ部１１、側壁部１２及びインバート部１３の全周面を精度良く効率的に切削する。ここに、本発明において「切削」とはハツリなども含む意味であり、要すればトンネル内面を切除する意義である。
【００２５】
切削したコンクリート片（本発明において切削に伴って排出すべき材料をズリという。）は、切削機２０前部のギャザリング（収集手段）２１及び補助バックホウ２２等により、切削機２０に付属した第１コンベア２３及び第２コンベア２４を経由して、架台３０に設けられた、受けホッパー３１に排出される。受けホッパー３１に投入されたズリは、ズリ排出搬送路としてのベルトコンベア３２を経由して、前方からパネル組立部４０及びパネル支持部５０で囲まれる領域内を通って後方に排出しキャリアダンプ７０等により坑外に搬出される。トンネルの切削面は、ポンプ圧送した高圧水等で洗浄し、洗浄後の切削水は、トンネル坑外で濁水処理設備により処理するのが望ましい。
【００２６】
前述のように、架台３０には、既設水路トンネル１０のアーチ部１１、側壁部１２及びインバート部１３の全周面切削完了後に、たとえばダクタイル製の改修用パネル（アーチ部パネル６０、側壁部パネル６１、インバート部パネル６２）組立の作業ができる、架台３０上に敷設のレール３７、３７上を自走可能なパネル組立部４０と、改修用パネル６０、６１、６２の裏込時の圧力によるパネルの変形を防止するパネル支持部により、並行あるいは同時に作業できる構造になっている。
【００２７】
たとえば、図示の形態は、同時作業が可能となるように強度を考慮して、架台３０はトンネル方向に平行の側ビームを連結材により連結した中央ビーム３３構造とし、たとえばパネル長が３ｍであるとき、パネル組立長たとえば１２ｍとパネル裏込時の打設スパン長１２ｍの範囲から約２７ｍの台車長とすることができる。
【００２８】
架台３０は、走行用ユニークタイヤ３５等によりインバート面で重量を支持し、電動ギャードモーター３６を動力として自走移動するになっている。
【００２９】
改修用パネルの組立は、自走式台車としてのパネル組立部４０で行い、２条のレール３７上を走行し、後方位置（図２の位置）からパネルの組立てを開始し、前述の例では３ｍ長のパネル組立てが完了した時点で、前進し、パネル供給搬送路としてのローラーコンベア３４により搬入されたパネルを受け取り、次の長さ分のパネルを組み立てる。
【００３０】
自走式台車としてのパネル組立部４０は、図２及び図３に示すように、パネル組立用鋼製支保材４１、鋼製支保材上下調整ジャッキ４２、鋼製支保材側壁部調整ターンバックル４３、鋼製支保材インバート部調整ターンバックル４４、ギャードモーター４５、駆動伝達チェーン４６、走行駆動車輪４７等により構成されている。ギャードモーター４５の駆動力が駆動伝達チェーン４６を介して走行駆動車輪４７、４７に与えられ自走する。パネル組立部４０の機長は、改修用パネル６０、６１、６２長やパネル枚数や組立時の作業能率等により決定される。
【００３１】
パネル支持部５０は、図２及び図４に示すように、パネルサポート用鋼製支保材５１、鋼製支材上下調整ジャッキ５２、鋼製支保材側壁部調整ターンバックル５３、鋼製支保材インバート部調整ターンバックル５４等により構成されている。パネル支持部５０の機長についても、パネル長やパネル枚数及び作業能率等により決定される。
【００３２】
パネル組立部４０及びパネル支持部５０では、パネル組立用鋼製支保材４１またはパネルサポート用鋼製支保材５１を仮想線の位置から実線の位置に位置調整しつつ拡張し、パネルを押し当てる。
【００３３】
改修用パネル６０、６１、６２は、坑外からたとえばキャリアダンプ７０等で坑内に搬入し、架台３０の中央ビーム３３内蔵のローラーコンベア３４を経由して、パネル組立部４０まで搬送する。ローラーコンベア３４は、パネル組立部４０の近くで、改修用パネルを受取り易いようにたとえば２ｍ位、コンクリート切削機２０側（前方）へ移動する構造になっている。図３及び図４に示すように、切削したズリを搬出するベルトコンベア３２と改修用パネル６０、６１、６２を搬入するローラーコンベア３４は、中央ビーム３３内で上下２段の構成になっている。
【００３４】
架台３０の後方に、裏込材注入ポンプ（図示せず）を設置する。配管を通してパパネル支持部５０領域位置に設置する裏込材ノズルへと供給される。
【００３５】
以上のように、切削・ズリ運搬、洗浄、パネル組立、パネル支持、裏込材注入及びその定着が終了した時点で、架台３０を次のスパンまで、たとえば前述の例では約２７ｍ前進し、次の施工を行う。これらの工程が繰り返される。
【図面の簡単な説明】
【００３６】
【図１】本発明の概要を示す正面図である。
【図２】架台の拡大正面図である。
【図３】Ａ-Ａ線矢視図である。
【図４】Ｂ-Ｂ線矢視図である。
【図５】Ｂ-Ｂ線矢視図である。
【符号の説明】
【００３７】
１０…既設トンネル、２０…コンクリート切削機、３０…架台、３２…ズリ排出搬送路、３３…中央ビーム、３４…パネル供給搬送路、３５…走行用ユニークタイヤ、３６…電動ギャードモーター、４０…パネル組立部、４１…パネル組立用鋼製支保材、５０…パネル支持部、５１…パネルサポート用鋼製支保材、６０、６１、６２…改修用パネル、７０…キャリアダンプ。
【図１】
2006057370.tif 000003
【図２】
2006057370.tif 000004
【図３】
2006057370.tif 000005
【図４】
2006057370.tif 000006
【図５】
2006057370.tif 000007